(57)【要約】  本発明は、流体を濾過する、特に熱可塑性ポリマー溶融物を濾過する装置に関し、この装置は、少なくとも一つの流体供給流路（２）と少なくとも一つの流体排出流路（３）と、少なくとも二つの互いに平行且つ間隔を空けて配置された穴（４、５）であって、それぞれ前記流体供給流路（２）と前記流体排出流路（３）と流体連通する穴（４、５）を有するハウジング（１）を備え、前記穴（４、５）はそれぞれ、軸方向に変位可能で径方向に回転可能なボルト（６、７）を内部に液密状態で収容し、前記ボルト（６、７）はそれぞれ、流入側と流出側を有するフィルタ部（８、９）を備え、前記ボルト（６、７）はそれぞれ、前記フィルタ部（８、９）の流入及び流出側が前記流体供給流路（２）と前記流体排出流路（３）とそれぞれ流体連通する濾過位置である第一の位置と、前記フィルタ部（８、９）の流入側が前記ハウジング（１）内の少なくとも一つのバックフラッシュ流路（１０、１１）と流体連通するバックフラッシュ位置である第二の位置との間を少なくとも移動可能であって、前記ボルト（６、７）はそれぞれ、前記フィルタ部（８、９）の流出側から前記ボルト（６、７）の移動によって前記穴（４、５）内に形成された貯蔵空隙（１４、１５）へと前記ボルト（６、７）内の洗浄流体流路（１２、１３）を介して流体が流れる、第三の充填位置に移動可能であり、前記ボルト（６、７）が前記第二の位置に移動すると、前記流体が前記フィルタ部（８、９）を介して、前記少なくとも一つのバックフラッシュ流路（１０、１１）へと再び流れ、前記ハウジング（１）から流出する。【選択図】  図１
2015518433.tif 000002
【特許請求の範囲】
【請求項１】
流体を濾過する、特に熱可塑性ポリマー溶融物を濾過する装置であって、
少なくとも一つの流体供給流路（２）と少なくとも一つの流体排出流路（３）と、少なくとも二つの互いに平行且つ間隔を空けて配置された穴（４、５）であって、それぞれ前記流体供給流路（２）と前記流体排出流路（３）と流体連通する穴（４、５）を有するハウジング（１）を備え、
前記穴（４、５）はそれぞれ、軸方向に変位可能で径方向に回転可能なボルト（６、７）を内部に液密状態で収容し、
前記ボルト（６、７）はそれぞれ、流入側と流出側を有するフィルタ部（８、９）を備え、
前記ボルト（６、７）はそれぞれ、前記フィルタ部（８、９）の流入及び流出側が前記流体供給流路（２）と前記流体排出流路（３）とそれぞれ流体連通する濾過位置である第一の位置と、前記フィルタ部（８、９）の流入側が前記ハウジング（１）内の少なくとも一つのバックフラッシュ流路（１０、１１）と流体連通するバックフラッシュ位置である第二の位置との間を少なくとも移動可能であって、
前記ボルト（６、７）はそれぞれ、前記フィルタ部（８、９）の流出側から前記ボルト（６、７）の移動によって前記穴（４、５）内に形成された貯蔵空隙（１４、１５）へと前記ボルト（６、７）内の洗浄流体流路（１２、１３）を介して流体が流れる、第三の充填位置に移動可能であり、前記ボルト（６、７）が前記第二の位置に移動すると、前記流体が前記フィルタ部（８、９）を介して、前記少なくとも一つのバックフラッシュ流路（１０、１１）へと再び流れ、前記ハウジング（１）から流出するよう構成された装置。
【請求項２】
前記ボルト（６、７）が前記第一の位置にあると、前記フィルタ部（８、９）の流出側は、前記洗浄流体流路（１２、１３）を介して、前記ボルト（６、７）の端面に配置され、前記ボルト（６、７）の一端面の周辺の一部上のみで延在する放射状の溝（１６、１７）を介して、及び、前記ボルト（６、７）の軸方向に延びる縦溝（１８、１９）を介して、前記少なくとも一つの流体排出流路（３）と連通する、請求項１に記載の装置。
【請求項３】
前記ボルト（６、７）の一端面上の前記放射状溝（１６、１７）は、カバープレート（２０、２１）によってそこで覆われており、前記カバープレート（２０、２１）は、そこを通じて延在する貫通孔（２２、２３）を備え、前記第三の位置において、前記放射状溝（１６、１７）と前記貯蔵空隙（１４、１５）との間に流体連通がなされる、請求項２に記載の装置。
【請求項４】
前記第一の位置から前記第三の位置へと前記ボルト（６、７）が軸方向に移動することにより、前記ボルト（６、７）の端面で、濾過済みの流体のための前記貯蔵空隙（１４、１５）が形成され、前記軸方向の移動の全距離に亘って、前記フィルタ部（８、９）の流出側は、前記洗浄流体流路（１２、１３）、前記放射状溝（１６、１７）及び前記縦溝（１８、１９）を介して、前記少なくとも一つの流体排出流路（３）と連通する、請求項１〜３のいずれかに記載の装置。
【請求項５】
前記ボルト（６、７）は、前記第一の位置から第一中間位置へと径方向の回転により移動可能であり、回転角度の大きさに応じて、前記流体排出流路（３）が前記ボルト（６、７）の壁によって、部分的に、又は完全に封止され、完全に封止された場合には、前記ボルト（６、７）の前記軸方向に延在する縦溝（１８、１９）は、前記少なくとも一つの流体排出流路（３）とは連通しなくなる、請求項１〜４のいずれかに記載の装置。
【請求項６】
前記ボルト（６、７）が第二中間位置にあると、回転角度の大きさに応じて、前記流体供給流路（２）が前記ボルト（６、７）の壁によって部分的に又は完全に封止され、完全に封止された場合には、前記ボルト（６、７）の前記フィルタ部（８、９）の流入側は、前記少なくとも一つの流体供給流路（２）と連通しなくなる、請求項１〜５のいずれかに記載の装置。
【請求項７】
前記ボルト（６、７）が、前記第二の位置と前記第一中間位置の両方に同時にあるように移動可能である、請求項５又は６に記載の装置。
【請求項８】
前記ボルト（６、７）が、前記第三の位置と前記第二中間位置の両方に同時にあるように移動可能である、請求項５又は６に記載の装置。
【請求項９】
前記縦溝（１８、１９）が、前記ボルト（６、７）の軸方向の一部の長さに亘ってのみ延在する、請求項１〜８のいずれかに記載の装置。
【請求項１０】
前記フィルタ部（８、９）がそれぞれ、少なくとも一つのバックフラッシュ流路（１０、１１）と関連する、請求項１〜９のいずれかに記載の装置。
【請求項１１】
前記ボルト（６、７）が出口流路（２９）を備え、前記ボルトが第四の開始位置にあると、前記出口流路（２９）が前記流体供給流路（２）と流体連通可能となり、前記出口流路には前記装置の周囲の領域への開口が有り、前記開口を通じて前記装置から流体が排出可能となる、請求項１〜１０のいずれかに記載の装置。
【請求項１２】
前記ハウジング（１）が一以上の部品、好ましくは二つの部品からなり、各ハウジング部品が、穴（４、５）、流体供給流路（２）、流体排出流路（３）並びにフィルタ部（８、９）、バックフラッシュ流路（１０、１１）及び出口流路を備えたボルト（６、７）を有する、請求項１〜１１のいずれかに記載の装置。
【請求項１３】
前記ボルト（６、７）が第五のスクリーン交換位置に移動可能であり、この位置において、前記フィルタ部（８、９）は、前記位置で前記フィルタ部（８、９）の交換が可能なように、前記ハウジング（１）の外側にあり、前記第五の位置は、前記ボルト（６、７）の端面と逆の方向にある、請求項１〜１２のいずれかに記載の装置。
【請求項１４】
前記第五の位置において前記少なくとも一つの流体供給流路（２）と前記少なくとも一つの流体排出流路（３）とが前記ボルト（６、７）の壁によって完全に封止されるような長さを、前記ボルト（６、７）が有し、そのように移動可能である、請求項１〜１３のいずれかに記載の装置。
【請求項１５】
前記少なくとも一つの流体供給流路（２）の上流と前記少なくとも一つの流体排出流路（３）の下流とに、遮断弁（２４、２５）が設けられ、前記ボルト（６、７）が前記第五の位置にあると、前記遮断弁（２４、２５）によって、それぞれの流路が封止される、請求項１〜１４のいずれかに記載の装置。
【請求項１６】
前記装置が二つのボルト（６、７）を備え、前記ボルト（６、７）は、前記第一の位置、前記第二の位置、前記第三の位置、前記第四の位置、前記第五の位置、及び前記第一及び第二中間位置間を互いに独立して移動可能であり、対応する穴によって前記ハウジング内で保持され、
前記ボルト（６、７）が前記第一の位置にあると、濾過対象の流体が濾過され、前記ボルト（６、７）が前記第二の位置にあると、濾過対象の流体は前記ボルト（６、７）の前記フィルタ部（８、９）を流れずに、その代わりに前記フィルタ部（８、９）には、前記ボルト（６、７）と関連する前記貯蔵空隙（１４、１５）から供給される濾過済みの流体が、濾過方向とは逆向きに流れ、
一方のボルト（６、７）と関連する前記貯蔵空隙（１４、１５）には、他方のボルト（６、７）による濾過の間に、前記第一の位置から前記第三の位置への、又は前記第一の位置から前記第三の位置及び中間位置への同時的な、前記一方のボルト（６、７）の軸方向の移動を通じて、濾過済みの流体が充填され、
前記一方のボルト（６、７）が前記第三の位置から、又は前記第三の位置及び第二中間位置から同時的に、前記第二の位置へ、又は前記第二の位置及び第一中間位置へ同時的に移動させられるときの前記一方のボルト（６、７）の動きを介して、このように貯蔵された流体の少なくとも一部が前記一方のボルト（６、７）の前記フィルタ部（８、９）へと供給される、請求項１〜１５のいずれかに記載の装置。
【発明の詳細な説明】
【技術分野】
【０００１】
本発明は、請求項１のプリアンブルに記載された、流体を濾過する、特に熱可塑性ポリマー溶融物を濾過する装置であって、少なくとも一つの流体供給流路と少なくとも一つの流体排出流路と、少なくとも二つの互いに平行且つ間隔を空けて配置された穴であって、それぞれ前記流体供給流路と前記流体排出流路と流体連通する穴を有するハウジングを備え、前記穴はそれぞれ移動可能、即ち軸方向に変位可能及び／又は径方向に回転可能なボルトを内部に液密状態で収容し、前記ボルトはそれぞれ、流入側と流出側を有するフィルタ部を備え、前記ボルトはそれぞれ、前記フィルタ部の流入及び流出側が前記流体供給流路と前記流体排出流路とそれぞれ流体連通する濾過位置である第一の位置と、前記フィルタ部の流入側が前記ハウジング内の少なくとも一つのバックフラッシュ流路と流体連通するバックフラッシュ位置である第二の位置との間を少なくとも移動可能な装置に関する。
【背景技術】
【０００２】
流体を濾過するこのような装置は、当技術分野では一般にスクリーンチェンジャーと呼ばれる。このような装置は、例えば、溶解ポリマー状の溶解プラスチック等の濾過する対象の流体から異物を濾過して除去するのに使用される。このような混入物質は、例えば再利用溶解材料内において大量に発生する可能性がある。濾過の過程で遅かれ早かれ、フィルタまたはフィルタ部が残留物によって詰まり、結果的に洗浄を行わなければならないことは明らかである。そのために、二つのフィルタ系を並列に構成するのが理想的であり、一方のフィルタ系を洗浄している間に、他方を稼働中の状態にしておくことが可能となる。例えば、流体の通常製造時の流れの方向とは逆向きに、既に濾過済みの流体を用いて、いわゆるバックフラッシュを行うことにより、洗浄が可能である。この目的のために知られている装置として、当技術分野でいわゆるバックフラッシュスクリーンチェンジャーと呼ばれる装置がある。
【０００３】
特にこのような濾過装置を、薄いプラスチック膜の製造等の、流体の質量流量に関して非常に厳密な用途で用いる場合、フィルタを洗浄したり交換したりする必要がある際にも、単位時間当たりの変動が特に無いように、濾過された流体の連続的な流れを保証可能であることが望ましい。
【０００４】
出願人のドイツ実用新案ＤＥ  ２０  ２０１０  ０１７  ２４７  Ｕ１は、このような流体濾過装置を提供し、複数の部分で構成されるハウジング内に各種ボルトが巧みに配置される。幾つかのボルトは、スクリーンを保持するためのものであり、一方その他のボルトは、移動可能であり、既に濾過された流体によって充填可能な独立した空隙を作るためのものである。移動可能ボルトとスクリーン保持用ボルトをバックフラッシュ位置にして、バックフラッシュによりスクリーン表面を洗浄するのに流体が使用される。このように機能的に異なるボルトの配置を分けて採用することにより、フィルタを交換したり、個々のフィルタを洗浄したりするためのバックフラッシュ中にも、溶融物の一定の流れが維持される。
【０００５】
出願人のドイツ特許ＤＥ  １９６  １２  ７９０  Ｃ２は、二つのフィルタが共通のボルト内に配置された、流体濾過装置を記載しており、ボルトの位置に応じて、別々の副流内でボルト内の別々の空隙を介して流体を誘導可能となる。
【０００６】
欧州特許明細書ＥＰ  １  ７７８  ３７９  Ｂ１は、特にプラスチック加工機械用の流体濾過装置及び方法を記載しており、この装置及び／又は方法も同様に、バックフラッシュ中にも一定の流速を維持することを目的としている。この装置は、フィルタ部の溶融物流路の下流に可動ボルトを追加的に備える。フィルタ部が適切な場所にあると、バックフラッシュ動作において、この可動ボルトが製造方向とは逆向きにフィルタを介して既に濾過済みの溶融物を押すことができる。この装置においても、複数の部分からなる構成とフィルタを担持するボルトと可動ボルトという別々のボルトに機能を分けたものとの組み合わせによって、洗浄中にも、溶融物の概して一定の流れを維持することが可能となる。
【０００７】
欧州特許明細書ＥＰ  ０  ５７７  ６８０  Ｂ１は、洗浄対象の流体を濾過する装置を記載しており、フィルタを担持するピストン内に配置されるのは別のピストンであり、バックフラッシュが必要な場合にはいつでも、この別のピストンが逆向きの流れの中でフィルタを介してすでに濾過済みの材料を押すことができる。ここでもフィルタを担持するピストンと追加的な可動ピストンとの機能は、別々に構成され実現されている。
【０００８】
ＷＯ  ９８／４７６８８公報は、粘性物用のフィルタについて記載しており、ここでも、バックフラッシュ動作において、適切に配置されたフィルタを介して溶融物流路内の追加的な可動ピストンにより、既に濾過された流体を押してフィルタを適切に洗浄することができる。この装置も、スクリーンを担持するピストンと可動ピストンとで機能を別にしている。
【発明の概要】
【０００９】
従って本発明の目的は、流体を濾過する、特に熱可塑性ポリマー溶融物材料を濾過する装置を提供することであり、バックフラッシュによるフィルタの洗浄が簡単な設計手段により可能となる。本発明は特に、バックフラッシュ中に主流内での乱れや質量損失を生じること無しに、流体のバックフラッシュを可能とすることを目的とする。さらに、本発明は、可能な限り、装置の領域内に材料が集まることを防止し、故にバックフラッシュ中に発生する固化や乱れを防止することを目的とする。
【００１０】
本発明の目的は、請求項１に記載の特徴を備えた、流体濾過装置によって達成される。本発明のその他の好適な実施態様は、下位クレームによって規定される。
【００１１】
本発明に係る、流体を濾過する、特に熱可塑性ポリマー溶融物を濾過する装置は、少なくとも一つの流体供給流路と少なくとも一つの流体排出流路と、少なくとも二つの互いに平行且つ間隔を空けて配置された穴であって、それぞれ前記流体供給流路と前記流体排出流路と流体連通する穴を有するハウジングを備え、前記穴はそれぞれ、軸方向に変位可能で径方向に回転可能なボルトを内部に液密状態で収容し、前記ボルトはそれぞれ、流入側と流出側を有するフィルタ部を備え、前記ボルトはそれぞれ、前記フィルタ部の流入及び流出側が前記流体供給流路と前記流体排出流路とそれぞれ流体連通する濾過位置である第一の位置と、前記フィルタ部の流入側が前記ハウジング内の少なくとも一つのバックフラッシュ流路と流体連通するバックフラッシュ位置である第二の位置との間を少なくとも移動可能である。本発明によれば、前記ボルトはそれぞれ、前記フィルタ部の流出側から前記ボルトの移動によって前記穴内に形成された貯蔵空隙へと前記ボルト内の洗浄流体流路を介して流体が流れる、第三の充填位置に移動可能であり、前記ボルトが前記第二の位置に移動すると、前記流体が前記フィルタ部を介して、前記少なくとも一つのバックフラッシュ流路へと再び流れ、前記ハウジングから流出するよう構成される。従って、充填中（第三の位置）及びバックフラッシュ中（第二の位置）の本発明によるボルトの対応する全体的な動きの間に、貯蔵空隙が形成、拡張、及び流体で充填され（まとめて第三の位置と称する）、貯蔵空隙の大きさが減少又は最終的には消滅、及び流体が逆向きに押され（まとめて第二の位置と称する）、これに応じてシリンジのようにボルトが軸方向に前後方向に移動する。
【００１２】
従って、本発明に係る装置によれば、製造時の既に濾過された流体が供給される空隙を形成する機能と、ボルトの移動によって対応する可能なバックフラッシュとを一つの要素内で組み合わせることが可能となり、これによって、同一のボルト内の対応するフィルタを介して、既に回収した流体をバックフラッシュさせることができる。更に、二つの平行なボルトを適切に配置することによって、完成したシステムによる製造工程の間に、濾過された流体の連続的な溶融流れが保証される。従って、従来技術とは違って本発明によれば、別の移動機構を更に必要とするような変位ピストンを別に設ける必要がない。そうではなくて、ボルト一つと適切に割り当てられたアクチュエータ一つの単一の配置において、スクリーン表面も収容するボルトが、濾過された流体を保持するための対応する容量を提供するだけでなく、スクリーン表面を通じたバックフラッシュ中にその流体をバックフラッシュ位置に移動させることも可能である。結果的に、装置が特に簡単な設計となり、より大きな完成した製造システム内にコンパクトかつスペースを取らない様に一体化することも可能となる。
【００１３】
従って、本発明が記載及び請求する装置によれば、「位置」は、ボルトの位置に対して可変の位置という意味で理解されるべきであり、更にこの位置は、ボルトの移動を含み、対応する動きの固定された（静的な）「端点」に限定されるものではない。このことは特に第二及び第三の位置に当てはまり、これらの位置は、充填及びバックフラッシュ動作の間に、貯蔵空隙を生成、充填、貯蔵空隙内で又は貯蔵空隙から流体を圧縮、放出するための、本発明に係る対応するボルトの移動を伴う。
【００１４】
本発明の好適な実施態様に係る装置によれば、前記ボルトが前記第一の位置にあると、前記フィルタ部の流出側は、前記洗浄流体流路を介して、前記ボルトの端面に配置され、前記ボルトの一端面の周辺の一部上のみで延在する放射状の溝を介して、及び、前記ボルトの軸方向に延びる縦溝を介して、前記少なくとも一つの流体排出流路と連通する。
【００１５】
本発明に係る、好ましく設けられた放射状溝及び縦溝によれば、ボルトが第一の位置にある際も含めて、全ての場合において、一定の流体の流れを特に確実に保証可能となる。その結果、デッドスペースにおいて集まったり固化したりする可能性のある、溶融物の詰まりが起こらない。
【００１６】
本発明の好適な実施態様によれば、前記縦溝が、前記ボルトの軸方向の一部の長さに亘ってのみ延在する。
【００１７】
本発明の好適な実施態様に係る装置において、前記ボルトの一端面上の前記放射状溝は、カバープレートによってそこで覆われており、前記カバープレートは、そこを通じて延在する貫通孔を備え、特にボルトの前後方向への軸方向の変位の際に、前記放射状溝と前記貯蔵空隙との間に流体連通がなされる。
【００１８】
本発明に係る好適に設けられたカバープレートによれば更に、確実に、充填の際に流体が、その場に集まることがなく、固化の傾向無しにバックフラッシュ位置において継続的にバックフラッシュ可能である。
【００１９】
本発明の別の好適な実施態様に係る装置において、前記第一の位置から前記第三の位置へと前記ボルトが軸方向に移動することにより、前記ボルトの端面で、濾過済みの流体のための前記貯蔵空隙が形成され、前記軸方向の移動の全距離に亘って、前記フィルタ部の流出側は、前記洗浄流体流路、前記放射状溝及び前記縦溝を介して、前記少なくとも一つの流体排出流路と連通する。
【００２０】
本発明に係るこの好適な設計によれば、特に確実に一定の流体の流れが保証され、その結果、そうでない場合には空隙やデッドスペースで起こる、流体が固化するおそれがなくなる。
【００２１】
本発明の更に別の好適な実施態様に係る装置において、前記ボルトは、前記第一の位置から第一中間位置へと径方向の回転により移動可能であり、回転角度の大きさに応じて、前記流体排出流路が前記ボルトの壁によって、部分的に、又は完全に封止され、完全に封止された場合には、前記ボルトの前記軸方向に延在する縦溝は、前記少なくとも一つの流体排出流路とは連通しなくなる。
【００２２】
本発明の更に別の好適な実施態様に係る装置において、前記ボルトが第二中間位置にあると、回転角度の大きさに応じて、前記流体供給流路が前記ボルトの壁によって部分的に又は完全に封止され、完全に封止された場合には、前記フィルタ部の流入側は、前記少なくとも一つの流体供給流路と連通しなくなる。
【００２３】
ハウジング内の対応する開口を封止するようボルトの外側面を適切に用いることにより、特に簡単な設計によって、本発明に係る濾過装置における溶融物の流れを制御可能となる。特に、これによって、複雑な弁や封止装置を追加的に用いる必要が無く、ボルトの大きさを非常にコンパクトに維持することが可能となる。
【００２４】
本発明の好適な実施態様において、前記ボルトは、前記第二の位置と前記第一中間位置との両方に同時にあるように移動可能であることが好ましい。
【００２５】
本発明の更に好適な実施態様において、前記ボルトは、前記第三の位置と前記第二中間位置との両方に同時にあるように移動可能であることが好ましい。
【００２６】
本発明の更に好適な実施態様において、前記ボルトは、前記第一及び第二中間位置及び／又は前記第二及び第三の位置との両方に同時にあるように移動可能であることが好ましい。
【００２７】
このように、ハウジングの対応する開口を封止するようなボルトの外側面の接触によって、特に効果的に及び簡素な設計により、ボルトそのものによる封止が行われる。
【００２８】
本発明の更に好適な実施態様に係る装置において、前記フィルタ部がそれぞれ、少なくとも一つのバックフラッシュ流路と関連する。
【００２９】
複数の穴やバックフラッシュ流路を設けることにより、ボルトの一つのスクリーンのバックフラッシュを行っている際にも、特に簡単に連続的な溶融物の流れを実現可能となる。
【００３０】
本発明の更に好適な実施態様において、前記ボルトが出口流路を備え、前記ボルトが第四の開始位置にあると、前記出口流路が前記流体供給流路と流体連通可能となり、前記出口流路には前記装置の周囲の領域への開口が有り、前記開口を通じて前記装置から流体が排出可能となる。
【００３１】
好ましくは、本発明に係る装置の前記ハウジングは、一以上の部品、好ましくは二つの部品からなり、各ハウジング部品が、穴、流体供給流路、流体排出流路並びにフィルタ部、バックフラッシュ流路及び出口流路を備えたボルトを有する。
【００３２】
本発明の更に好適な実施態様に係る装置において、前記ボルトが第五のスクリーン交換位置に移動可能であり、この位置において、前記フィルタ部は、前記位置で前記フィルタ部の交換が可能なように、前記ハウジングの外側にあり、前記第五の位置は、前記ボルトの端面と逆の方向にある。
【００３３】
この結果、第五の位置において、スクリーンの交換が必要な場合には、装置全体を完全に分解する必要なく、この作業を簡単に行うことができる。特に、スクリーンを交換する際、ボルトの封止端面領域をハウジングの穴から完全に外す必要がない。但し、何らかの物理的条件下で、濾過装置の反対側の端部において、フィルタを交換するために利用できる空間が十分でない場合には、端面でのスクリーン交換が有利な場合もある。このような場合には、カバープレートを外した後に端面から引き出せるようにしたボルトによって、第五の位置を実現することも可能である。
【００３４】
特に好適な実施態様において、前記第五の位置において前記少なくとも一つの流体供給流路と前記少なくとも一つの流体排出流路とが前記ボルトの壁によって完全に封止されるような長さを、前記ボルトが有し、そのように移動可能である。
【００３５】
本発明に係る装置の好適な実施態様において、前記少なくとも一つの流体供給流路の上流と前記少なくとも一つの流体排出流路の下流とに、遮断弁が設けられ、前記ボルトが前記第五の位置にあると、前記遮断弁によって、それぞれの流路が封止される。
【００３６】
本発明の好適な、特に簡単な好ましい実施態様において、ボルトの開始位置、即ち、上述の第四の位置と、上述の第五のスクリーン交換位置とが同一であるようボルトを設計する。
【００３７】
ボルトをできるだけコンパクトな構造にするために、スクリーン交換の際に、ハウジング内の対応する開口を覆う封止用ボルト表面がないにも関わらず、上述の遮断弁を備えた実施態様は比較的簡単な方法で溶融物の流れを遮断することが可能である。これにより、ボルトの軸方向の長さが短くなり、完成したシステムの特定の物理的条件下で有利となりうる。
【００３８】
本発明の好適な実施態様において、前記装置が二つのボルトを備え、前記ボルトは、前記第一の位置、前記第二の位置、前記第三の位置、前記第四の位置、前記第五の位置、及び前記第一及び第二中間位置間を互いに独立して移動可能であり、対応する穴によって前記ハウジング内で保持され、前記ボルトが前記第一の位置にあると、濾過対象の流体が濾過され、前記ボルトが前記第二の位置にあると、濾過対象の流体は前記ボルトの前記フィルタ部を流れずに、その代わりに前記フィルタ部には、前記ボルトと関連する前記貯蔵空隙から供給される濾過済みの流体が、濾過方向とは逆向きに流れ、一方のボルトと関連する前記貯蔵空隙には、他方のボルトによる濾過の間に、前記第一の位置から前記第三の位置への、又は前記第一の位置から前記第三の位置及び中間位置への同時的な、前記一方のボルトの軸方向の移動を通じて、濾過済みの流体が充填され、前記一方のボルトが前記第三の位置から、又は前記第三の位置及び第二中間位置から同時的に、前記第二の位置へ、又は前記第二の位置及び第一中間位置へ同時的に移動させられる際に、前記一方のボルトの動きを介して、このように貯蔵された流体の少なくとも一部が前記一方のボルトの前記フィルタ部へと供給される。この結果、本発明に係るそれぞれのボルトを適切に断続的に移動させることにより、完全な装置の動作が交互に連続的に行われる。
【００３９】
このように、簡単な設計を用いて以上説明したような方法により、本発明によれば、濾過済みの溶融物の製造時の流れを大幅に変えることなく、一定の製造動作が可能となり、同時に個々のフィルタ素子をバックフラッシュにより適切に洗浄することが可能となる。
【図面の簡単な説明】
【００４０】
以下、図面を参照しながら、本発明の実施態様の例について、より詳しく説明及び記載するが、本発明はこれらの例に限定されるものではない。
【図１】図１は、本発明の第一の好適な実施態様に係る、濾過装置の斜視平面図である。
【図２】図２は、図１に示した本発明の好適な実施態様に係る装置を詳細に示す、一部切り取り概略図である。
【図３】図３は、本発明の第二の好適な実施態様に係る、濾過装置の斜視平面図である。
【図４】図４は、図３に示した本発明の好適な実施態様に係る装置を詳細に示す、一部切り取り概略図である。
【図５】図５は、本発明の別の好適な実施態様に係る装置を詳細に示す、切り取り概略図である。
【図６】図６は、図５に示した本発明の好適な実施態様の断面図である。
【図７Ａ】図７Ａのａ、ａ’は、本発明の装置を示す、一部切り取り概略図であり、各種動作状態において、溶融物の出口側から見た図、及び溶融物の入り口側から見た図である。
【図７Ｂ】図７Ｂのｂ、ｂ’は、本発明の装置を示す、一部切り取り概略図であり、各種動作状態において、溶融物の出口側から見た図、及び溶融物の入り口側から見た図である。
【図７Ｃ】図７Ｃのｃ、ｃ’は、本発明の装置を示す、一部切り取り概略図であり、各種動作状態において、溶融物の出口側から見た図、及び溶融物の入り口側から見た図である。
【図７Ｄ】図７Ｄのｄ、ｄ’は、本発明の装置を示す、一部切り取り概略図であり、各種動作状態において、溶融物の出口側から見た図、及び溶融物の入り口側から見た図である。
【図７Ｅ】図７Ｅのｅ、ｅ’は、本発明の装置を示す、一部切り取り概略図であり、各種動作状態において、溶融物の出口側から見た図、及び溶融物の入り口側から見た図である。
【図７Ｆ】図７Ｆのｆ、ｆ’は、本発明の装置を示す、一部切り取り概略図であり、各種動作状態において、溶融物の出口側から見た図、及び溶融物の入り口側から見た図である。
【図７Ｇ】図７Ｇのｇ、ｇ’は、本発明の装置を示す、一部切り取り概略図であり、各種動作状態において、溶融物の出口側から見た図、及び溶融物の入り口側から見た図である。
【図８】図８のａ、ａ’は、本発明の別の好適な実施態様を示す、出口側及び入口側から見た、一部切り取り概略図である。
【００４１】
図において、同じ要素は同じ参照文字で表すが、明確にする目的で、一部の図において参照文字が省略されている。本発明の好適な実施態様に係る、個々に記載された要素は、当業者にはよく知られた方法で任意に組み合わせ可能である。以下に示す実施態様は、それぞれの組み合わせに関して制限されない。
【発明を実施するための形態】
【００４２】
図１は、本発明の第一の好適な実施態様に係る、流体濾過装置の斜視平面図である。図示した装置は特に、熱可塑性溶解ポリマーを濾過する機能を有し、ボルト６、７を備えたハウジング１を備え、ボルト６、７は、ハウジング１内での穴４、５（図１において上穴４は見えていない）内で移動可能、即ち、液密状態で軸方向に変位可能及び／又は径方向に回転可能である。各ボルト６、７は、流入側と流出側とを備えた、少なくとも一つのフィルタ部８、９（図１において上フィルタ部８は見えていない）を備える。図１は、下ボルト７が第五のスクリーン交換位置にある状態を示している。図１に示した本発明の装置の実施態様によれば、カバープレートを外した後に、但し、上ボルトに関してはカバープレートが示されており、ハウジング上に取り付けられているが（取り付けられたカバープレート２８）、ハウジング１の相対する端のそれぞれのアクチュエータ２６、２７によって、ボルトをハウジングから押出し、スクリーンをボルト端から交換可能とする。
【００４３】
図２は、図１に示した本発明の装置を詳細に示す概略断面図であり、即ち第五のスクリーン交換位置にある、下ボルト７を示しており、アクチュエータ端から遠ざかる方向にハウジングの端面から押し出されている。図２に示す上ボルト６は、第二のバックフラッシュ位置にある。図２はさらに、少なくとも下ボルト７の出口流路２９を示しており、この出口流路２９を通じて、図示した位置にあるボルト７は、流体供給流路２と流体連通可能となり、装置の表面領域に通じる開口を有し、例えば適合しない流体を、開始時等に装置から排出することが可能となる。ボルト６の回転位置により、対応する上ボルト６の出口流路は図２では見えていない。
【００４４】
図３は、本発明の第二の好適な実施態様に係る、流体濾過装置の斜視平面図である。図３に示す本発明の装置の実施態様によれば、図１に示した本発明の実施態様とは違って、ボルト６、７は、アクチュエータ２６、２７に向かう方向にスクリーン交換位置へとハウジング１から押し出されるようになっている。つまり、図３によれば、本発明に係る図示された装置は、この場合、第五のフィルタ変更位置が、端面ではなくボルト７がアクチュエータ２７の方向にハウジングから押し出されることよって達成されるよう構成される。
【００４５】
図１及び３に示すボルト６、７をそれぞれ移動させるアクチュエータ２６、２７は、油圧シリンダーであることが好ましく、この油圧シリンダーは、適切なリンク機構によって本発明のボルトに接続され、記載した軸方向及び径方向へのボルトの移動と共に対応する滑り移動及び回転移動を可能とする。このような油圧シリンダーの基本的な用法は、当業者にはよく知られていることであるので、これについてさらに詳しく説明はしない。
【００４６】
図４は、図３に示した本発明の装置を詳細に示す概略断面図であり、即ちスクリーン交換位置にある下ボルト７を示しており、アクチュエータ側へとハウジングから押し出されている。ボルト７同様、ボルト６は、流体供給流路２の（および（図１〜５では見えていないが）流体排出流路３の）穴が、対応するボルトが第五のスクリーン交換位置にあるときに、ボルト壁によって封止可能となるような軸方向の長さを有する。図４において、図示した上ボルト６は、第一の動作位置にある。
【００４７】
図５と図４との違いは、図示したボルト６及び７が短いことだけであり、この結果、ボルト壁によって流体供給流路２又は流体排出流路３の液密な封止ができなくなる。つまり、図５に示した実施態様では、追加的な封止素子を使用する必要がある。
【００４８】
図６に、このような封止素子の概略断面図を示す。図６は、ハウジング１の断面図であり、その中に穴４、５が配置されており、さらにその中でボルト６、７が液密状態で軸方向に移動可能及び径方向に回転可能である。ただし、ボルトは図５では示されていない。フィルタ交換の場合に流体の流れが遮断されるように、即ち、一方又は両方のボルトが第五の位置にある場合に、回転スライド弁形状の遮断弁２４、２５が流体供給流路２及び流体排出流路３の上流に設けられる。ボルトが第五の位置にあると、この遮断弁２４、２５によってそれぞれの流路２、３が遮断される。
【００４９】
図７Ａ’〜７Ｇは、本発明の好適な形態に係る、ハウジング１のボルト６、７の一つの位置を概略的に示す図であり、それぞれ流体出口側から見た図（図７Ａ〜７Ｇのａ〜ｇ）及び流体入口側から見た図（図７Ａ〜７Ｇのａ’〜ｇ’）である。
【００５０】
図７Ａ〜７Ｇは、本発明に係る流体濾過装置を示しており、この装置は特に、熱可塑性溶解ポリマーを濾過するのに適している。間隔を空けて配置された穴４、５を備えたハウジングにおいて、流体供給流路２と流体排出流路３とは、これらの互いに平行な穴と関連し、これらの穴と流体連通する。本実施態様によると、ハウジング１は、一つの部品で構成される。ただし、原理的には、ハウジングの部品それぞれが別々の穴を備え、それに応じて複数の部品で構成されるハウジングとして実現することも可能である。穴４、５はそれぞれ、ボルト６、７を収容し、これらのボルトは、穴内において液密状態で軸方向に変位可能及び径方向に回転可能である。ボルトの移動は、アクチュエータ２６、２７（例えば図１又は図３を参照）により達成可能である。ボルト６、７は、濾過対象の流体が流入する入口側と、濾過された流体がフィルタ部を経て流出可能となる出口側とを備えたフィルタ部８、９をそれぞれ有する。図７Ａに示すように、下ボルト７は、濾過位置である第一の位置にあり、フィルタ部９が、流体流路２と入口側で、流体流路３と出口側で流体連通する。図７Ａに示すように、上ボルト６は、第二のバックフラッシュ位置の端位置にあり、上ボルト６のフィルタ部８は、関連するバックフラッシュ流路１０と入口側で流体連通する。図において、バックフラッシュ動作がすでに完了している。
【００５１】
図７Ｂは、濾過位置である第一の位置にある両ボルト６、７を示しており、ボルトのフィルタ部８、９の流出側は、洗浄流体流路１２、１３を介して、ボルト６、７の端面に配置され、ボルトの一端面の周辺の一部上のみで延在する放射状の溝１６、１７を介して、及び、ボルト６、７の軸方向に延びる縦溝１８、１９を介して、流体排出流路３と連通する。図７Ａ〜７Ｇにおけるシーケンスの図に示す本発明の装置の実施態様によれば、ボルト６、７の端面の放射状の溝１６、１７は、カバープレート２０、２１によってそこで覆われており、このカバープレート２０、２１は、そこを通じて延在する貫通孔２２、２３を備える。次に示すボルト６、７の第三の位置において、この貫通孔により、放射状溝と貯蔵空隙１４、１６との間の流体連通が可能となる。
【００５２】
図７Ａ〜７Ｇに示されるシーケンスのうち図７Ｃにおいて、上ボルト６は、第一の位置から第一中間位置へと径方向の回転により変位しており、この結果、回転角度の大きさに応じて、関連する流体排出流路３がボルト６の壁によって、部分的に、又は図７Ｃに示すように完全に封止される。この結果、このように完全に封止された場合には、ボルト６の軸方向に延在する縦溝１８は、ボルトの流体排出流路３とは流体連通しなくなる。
【００５３】
図７Ｄに示すように、ボルト６は、軸方向に変位移動して、第三の充填位置にあり、ボルト６の洗浄流体流路１２を介して、フィルタ部８の流出側から穴３内でのボルト６の移動によって形成された貯蔵空隙１４へと、流体が流れる（下ボルト６の対応する貯蔵空隙１５は、図示されていない）。このボルト６の移動は、矢印により図示される。
【００５４】
ボルト６、７の移動状態は、いずれの場合においても、図の対応する矢印によって視覚化されている。
【００５５】
図７Ｅに示す位置に上ボルト６があると、上ボルト６の第三の位置での移動に応じて行われた充填動作が終了し、形成された貯蔵空隙１４にフィルタ部８の流出側からの流体が充填されている。図７Ｅに示すように、ボルト６は、第二中間位置に回転しており、その回転角度の大きさに応じて、ボルト６が部分的に、又は図７Ｅに示すようにボルトの壁によって流体供給流路２を完全に封止すると、ボルト６のフィルタ部８の流入側は、関連する流体供給流路２と連通しなくなる。すると、ボルト６のフィルタ部８のバックフラッシュが行われる。図７Ｆを参照すると、穴４内でのボルト６の新たな後退によって、流体が貯蔵空隙１４からフィルタ部８の流出側に戻り、フィルタ部８を介してその流入側に押し出され、ボルト６と関連するバックフラッシュ流路１０に流入することにより、ハウジング１から流出可能となることがわかる。ボルト６は、第二のバックフラッシュ位置にあり、フィルタ部８は、少なくともバックフラッシュ流路１０と流入側で流体連通し、ボルト６がそれに応じてさらに軸方向に移動する。
【００５６】
図７Ｇは、第二の位置にあるボルト６の移動の終了を示しており、対応するボルトが第一の位置の方向に戻っており、フィルタ部８の流入側と、関連するバックフラッシュ流路１０とがすでに流体連通状態にあることを示す図７Ｇによりこの状態が示されている。
【００５７】
図７Ａ〜７Ｇに示した流れと同様に、図８は、本発明に係る装置の実施態様の流れを示す概略図である。図８のａ、ａ’に示す実施態様は、ボルト６、７の端面にある放射状の溝１６、１７を覆うカバープレート２０、２１が図８のａ、ａ’にはないという点で、図７Ａ〜７Ｇに流れを示した実施態様と異なる。
【００５８】
本発明の装置によれば、フィルタ部を担持するボルトを用いるだけで、つまりこのボルトが対応する動きをするだけで、バックフラッシュする流体を得ることができ、これによって、ボルト自身の動きによってボルトのフィルタ部を介してバックフラッシュが可能となる。従って、本発明によれば、幾つかの追加的なボルトや追加的な流体結合を用いた従来技術の手の込んだ解決法を用いる必要がない。つまり、本発明の装置は、確実にバックフラッシュを行うための簡単でコンパクトな設計を可能とし、対応する濾過装置の洗浄が可能となる。従って、本発明の装置によれば、構造的に非常に複雑な設計を用いずに簡単な設計の濾過装置が提供され、信頼性があり、操作がしやすく、バックフラッシュによって迅速に洗浄が行われる。
【図１】
2015518433.tif 000003
【図２】
2015518433.tif 000004
【図３】
2015518433.tif 000005
【図４】
2015518433.tif 000006
【図５】
2015518433.tif 000007
【図６】
2015518433.tif 000008
【図７Ａ】
2015518433.tif 000009
【図７Ｂ】
2015518433.tif 000010
【図７Ｃ】
2015518433.tif 000011
【図７Ｄ】
2015518433.tif 000012
【図７Ｅ】
2015518433.tif 000013
【図７Ｆ】
2015518433.tif 000014
【図７Ｇ】
2015518433.tif 000015
【図８】
2015518433.tif 000016
【国際調査報告】
2015518433.tif 000017
2015518433.tif 000018
2015518433.tif 000019
2015518433.tif 000020
2015518433.tif 000021
2015518433.tif 000022